(57)【特許請求の範囲】
【請求項１】
トイレルームの横壁面から突出するようにして設けられたライニングであって、
前記横壁面に直交する後ろ壁面側に設置される機能ユニット部と、
前記機能ユニット部の前方に連結して設けられ、前記ライニングの上面に埋め込むようにして設けられた洗面器を有する洗面器ユニット部と、からなり、
前記機能ユニット部は床上に設置され、前記洗面器ユニット部はその荷重が前記機能ユニット部によって支持されることで、床から浮かせて設置されることを特徴とするライニング。
【請求項２】
前記洗面器ユニット部が前記機能ユニット部の前方の側面に対して片持ち状に固定されることを特徴とする請求項１に記載のライニング。
【請求項３】
前記機能ユニット部の内部が機能部フレームで構成され、前記洗面器ユニット部が洗面器フレームで構成され、前記洗面器フレームが前記機能部フレームに対して連結金具で結合されていることを特徴とする請求項１または請求項２に記載のライニング。
【請求項４】
前記連結金具が前記機能部フレームの側面に固定され、前記洗面器フレームの荷重を支える引っ掛け金具と、前記洗面器フレームと前記機能部フレームの前合わせを行う接続金具であることを特徴とする請求項３に記載のライニング。
【請求項５】
前記洗面器フレームの下方と前記機能部フレームに固定され前記洗面器フレームの水平レベルを調整するレベル調整金具を有することを特徴とする請求項３または４に記載のライニング。
【請求項６】
前記洗面器への給水および排水が前記機能ユニット部を通して行われることを特徴とする請求項１から４のいずれかに記載のライニング。
【発明の詳細な説明】
【技術分野】
【０００１】
本発明は、トイレルームに設置されるトイレユニットに係り、特に横壁面から突出するように設置されるライニングで、その上面に手洗い器や洗面器を有するライニングに関するものである。 
【背景技術】
【０００２】
従来のトイレユニットでは、トイレルームに設置されるライニングの上面に手洗い器と、ライニングの手前側の前板に洗面器が設けられ、ライニングが床上に設置されているものが知られている。（例えば、特許文献１参照）。 
ライニング前板に背面を固定するように設けられた洗面器は下方が空間となり、車椅子利用者も使い勝っての良い手洗い器となっている。一方、洗面器が飛び出して設置されているため、洗面器に荷重が掛った際にも安全なように、ライニングは床上に設置されている。しかし、平面視すると洗面器が飛び出ている分、面積を要している。
【０００３】
また、手洗い器、洗面器を有しているライニングで、床から浮かして設置されているものも知られている。（例えば、特許文献２参照）。
この場合、洗面器はライニング上面にあり、平面視した場合奥行きが大きくならない。また、床から浮かしているので、車椅子利用者の使い勝手も損なわれることはないが、一方、横壁に固定するため、壁の強度がある程度必要となり、強度がない場合、壁に補強をするなどが必要となる。   
【先行技術文献】
【特許文献】
【０００４】
【特許文献１】特開平０６−１０８６７７号公報
【特許文献２】特開２００８−２８４０４２号公報
【発明の概要】
【発明が解決しようとする課題】
【０００５】
本発明は、上記問題を解決するためになされたもので、本発明の課題は、トイレルームにライニングを設置する際に、壁の強度が弱い場合でも、大がかりな補強を要しなくてもライニングが設置でき、車椅子利用者にも使い勝手の良いライニングを提供することにある。
【課題を解決するための手段】
【０００６】
上記目的を達成するために請求項１記載の発明によれば、トイレルームの横壁面から突出するようにして設けられたライニングであって、前記横壁面に直交する後ろ壁面側に設置される機能ユニット部と、前記機能ユニット部の前方に連結して設けられ、前記ライニングの上面に埋め込むようにして設けられた洗面器を有する洗面器ユニット部と、からなり、前記機能ユニット部は床上に設置され、前記洗面器ユニット部はその荷重が前記機能ユニット部によって支持されることで、床から浮かせて設置されることとした。これにより横壁の強度が弱い場合でも洗面器ユニット部の横壁を補強すればよく、大がかりな補強を要しなくとも、ライニングが設置できる。また、洗面器ユニット部が床から浮かせて設置されることで車椅子利用者にとって使い勝手のよいライニングが提供できる。
【０００７】
また、本発明の好ましい態様によれば、前記洗面器ユニット部が前記機能ユニット部の前方の側面に対して片持ち状に固定されることを特徴とするライニングが提供できる。これにより、洗面器ユニット部へ掛る荷重は機能ユニット部が受けることで、洗面器ユニット部は横壁への簡単な固定のみでよくなる。
【０００８】
また、本発明の好ましい態様によれば、前記機能ユニット部の内部が機能部フレームで構成され、前記洗面器ユニット部が洗面器フレームで構成され、前記洗面器フレームが前記機能部フレームに対して連結金具で結合されていることを特徴とするライニングが提供できる。フレーム同士を連結することにより、洗面器ユニット部は横壁への簡単な固定のみでよくなる。
【０００９】
また、本発明の好ましい態様によれば、前記連結金具が前記機能部フレームの側面に固定され、前記洗面器フレームの荷重を支える引っ掛け金具と、前記洗面器フレームと前記機能部フレームの前合わせを行う接続金具であることを特徴とするライニングが提供できる。これにより、洗面器フレームと機能部フレームとの前合わせが容易にできるようになる。
【００１０】
また、本発明の好ましい態様として、前記洗面器フレームの下方と前記機能部フレームに固定され前記洗面器フレームの水平レベルを調整するレベル調整金具を有することを特徴とするライニングが提供できる。これにより、床から浮かして設置される洗面器ユニット部の水平出しを容易に行うことができる。
【００１１】
また、本発明の好ましい態様として、前記洗面器への給水および排水が前記機能ユニット部を通して行われることを特徴とするライニングユニットが提供できる。これにより、床より浮かして設置された洗面器ユニット部の下方が空間となり、車椅子の方向転換などが容易となる。
【発明の効果】
【００１２】
本発明によれば、横壁の強度が弱い場合でも大がかりな補強を要しなくとも、ライニングが設置でき、車椅子利用者の使い勝手のよいライニングが提供できる。
【図面の簡単な説明】
【００１３】
【図１】本発明の実施態様示す模式斜視図である。
【図２】本発明の実施態様示す模式図である。
【図３】本発明の実施態様示す模式図である。
【図４】本発明の実施態様示す模式図である。
【図５】本発明の実施態様示す模式図である。
【発明を実施するための形態】
【００１４】
以下、図面を参照しつつ、本発明の実施形態について説明する。
図１は、本発明の実施の形態に係るトイレユニットを例示する模式斜視図である。
図１に示すように、本実施形態にかかるトイレユニット１００は、横壁面１０１から突出するように設けられる機能ユニット部１１０と洗面器ユニット部１２０、横壁面１０１と直行する後ろ壁面１０２から突出ように設けられる便器ユニット部１３０を有する。
【００１５】
まず、機能ユニット部１１０について説明する。機能ユニット部１１０の上面１１１には、ボウル面が埋め込まれるようにされた手洗い器１４０があり、前面１１２上方で手洗い器１４０の下にはトイレルーム内に設置された機器を操作する操作部１７０、１７１を有する。また、前面１１２の中程には紙巻き器２１０が取付けられ、その下方に開口を設け、機能ユニット部の内部にはダストボックス（図示せず）を設けることもできる。
【００１６】
また、操作部１７１、１７２の下端付近で紙巻き器２１０の上方には車椅子から便器への移動もしくは、便器から車椅子への移動の際に体が支えられるように手すり１８０が水平方向に設けられている。この手すり１８０は一端を機能ユニット部１１０の前面板１１２に固定され、他端を水平方向から垂直方向に向きを変え横壁面１０１に固定されている。手すり１８０には使用者の体重がかかり、これを支えるため、機能ユニット部１１０は床面１０５に設置されている。
【００１７】
次に、洗面器ユニット部１２０について説明する。洗面器ユニット部１２０の上面には、ボウル面が埋め込まれるようにされた洗面器１５０が設置され、その上方には横壁面１０１に取付けられた鏡２２０がある。洗面器ユニット部１２０は機能ユニット部１１０に連設して設けられるが、車椅子利用者の利便性を考慮し、底面は床面１０５から浮かして設置している。
【００１８】
便器ユニット部１３０について説明する。便器ユニット部１３０の前面板１３１下方には便器１６１が設置され、この便器１６１には前述した操作部１７１、１７２で操作可能な温水洗浄便座を備えている。また、便器１６１の上方には背もたれ１９０が取付けられている。さらに、便器の横壁面１０１とは反対側にははね上げ式の手すり２００が取付けられている。便器ユニット部１３０は機能ユニット部１１０に直行するようになっており、床面１０５上に設置されている。機能ユニット部１１０や洗面器ユニット部１２０と便器１６１の位置関係は、機能ユニット部１１０が便器１６１の側方に位置し、洗面器ユニット部１２０が便器の手前側に位置する。
【００１９】
次に、本発明の実施形態による機能ユニット部１１０と洗面器ユニット部１２０の設置について説明する。
図２は機能ユニット部１１０と洗面器ユニット部１２０の前面板１１２、１２１、上面板１１１、洗面器１５０本体を取り外して示した正面図である。
【００２０】
まず、機能ユニット部１１０のフレームについて説明する。尚、ライニングの設置には右側横壁面、左側横壁面それぞれの場合があるが、以下の説明では図を用いて説明するため、便宜上向かって右側あるいは左側と説明する。洗面器ユニット部についても同様である。
【００２１】
機能ユニット部１１０は機能部フレーム１１４により構成され、機能部フレーム１１４は、５本の横桟１１４aとコの字断面の金属製チャンネル材をＬ字形に曲げた４本の柱材１１４ｂとで構成される。柱材は向かって右側から第一柱材１１４ｂ−１、第二柱材１１４ｂ−２、第三柱材１１４ｂ−３、第四柱材１１４ｂ−４とからなり、第一柱材１１４ｂ−１と第二柱材１１４ｂ−２の手前側上端を第一横桟１１４a−１が連結し、第三柱材１１４ｂ−３と第四柱材１１４ｂ−４の手前側上端を第二横桟１１４a−２が連結する。４本の柱材のＬ字の横壁面１０１側を第三横桟１１４ａ−３により連結され、４本の柱材の手前側下端を第五の横桟１１４ａ−５によって連結される。そして、第二柱材１１４ｂ−２と第三柱材１１４ｂ−３の中程を第四横桟１１４ａ−４により固定される。
【００２２】
この連結された機能部フレーム１１４は、垂直・水平レベルを出した後、背面と横壁面１０１が平行になるように機能部フレーム横桟に開いた下穴に先端のフラットなタッピングねじ２３０を締め込み下穴に雌ねじを形成しながら強固に挿入される。挿入されたねじにて隙間調整後、タッピングねじ４本にて横壁面１０１と床面１０５に固定する。
【００２３】
次に、洗面器ユニット部１２０のフレームについて説明する。洗面器ユニット部１２０は洗面器フレーム１２４で構成され、洗面器フレーム１２４は、３本の横桟１２４ａとコの字断面の金属製チャンネル材をコの字形に曲げた２本の柱材１２４ｂで構成される。向かって左側の第一の柱材１２４ｂ−１と右側の第二の柱材１２４ｂ−２の上方を第一横桟１２４ａ−１が連結し、下端付近を第二横桟１２４ａ−２が連結する。
【００２４】
ここで、洗面器フレーム１２４を機能部フレーム１１４の側面に取付ける実施例を図３を用いて説明する。洗面器フレーム１２４を機能部フレーム１１４に取付けるために、連結金具を用いる。連結金具は引っ掛け金具１１５と接続金具１１７とからなる。引っ掛け金具１１５はＬ字状の板材よりなっており、底辺の先端が少し起立した形状をしている。この引っ掛け金具１１５が機能部フレーム１１４の向かって右側の第一の柱材１１４ｂ−１側方上方のＬ字状側面に固定され、洗面器フレーム１２４の向かって左側の側面の第一の柱材１２４ｂ−１の上方に開けられた開口１２４ｃを、引掛け金具１１５に引掛け、洗面器フレーム１２４の荷重を支える。
【００２５】
そして、図４に示すように機能部フレーム１１４の柱材と洗面器フレーム１２４の柱材の下方前面を接続金具１１７で仮止めをする。接続金具は板状材で固定するねじを通す穴が開けられており、機能部フレーム１１４の第一の柱材１１４ｂ−１と洗面器フレーム１２４の第一の柱材１２４ｂ−１とを固定するものである。また、接続金具１１７のねじを通す穴はどちらか一方が長穴となっていることで、洗面器フレーム１２４のレベル調整の際に柱間の長さを調整できる。
【００２６】
次に、洗面器フレーム１２４のレベル調整について説明する。レベル調整はレベル調整金具により行う。具体的には洗面器フレーム１２４の柱材側面に加工された雌ねじ加工穴に機能部フレーム方向に向けて、側方より挿入したレベル調整用ねじ１１６のねじ込み代を調整し洗面器フレーム本体の水平レベル調整を行う。実施例では、引掛け金具１１５の下方と洗面器フレーム１２４の機能部フレームと洗面器フレーム１２４の柱材の下方の２か所にレベル調整用ねじ１１６を設けるようにした。
【００２７】
その後、機能部フレーム１１４の柱材と洗面器フレーム１２４の柱材前面を接続金具１１７にて本固定し、柱材同士の面合わせを行う。尚、接続金具１１７は、仮固定を行わずにレベル調整ねじ１１６で洗面器フレーム１２４のレベルを調整した後に取付け固定してもよい。
【００２８】
そして、図５に示すように、洗面器フレーム１２４の横壁面１０１への固定は、洗面器フレーム背面に開いた下穴に先端のフラットなタッピングねじ２３０を締め込み下穴に雌ねじを形成しながら強固に挿入される。挿入されたねじにて隙間調整後、タッピングねじ４本にて横壁面１０１に固定する。
【００２９】
尚、洗面器１５０は、洗面器フレームに下方より４ヶ所をねじ固定にて締結される。洗面器１５０への給水や排水は機能ユニット部１１０を通して行う。
【００３０】
本実施形態の洗面器ユニット部支持構造によれば、機能ユニット部１１０の機能部フレーム１１４に固定された引掛け金具１１５に洗面器フレームの上部を引掛け、下部をレベル調整用のねじにて支えるため、固定の際に洗面器フレーム本体を手で支える必要が無く容易にレベル調整ができる。また、接続金具により前合わせが容易にできる。洗面器ユニット部１２０は、機能ユニット部１１０にて荷重支持され、横壁面１０１に固定される。
【００３１】
このように、機能ユニット部は床上に設置され、洗面器ユニット部は荷重を機能ユニット部に支持されて床から浮かして設置されることで、横壁面の強度が弱い場合でも大がかりな補強を要しなくともライニングが設置できる。また、洗面器ユニット部が床から浮かして設置されることで車椅子利用者にとって使い勝手のよいライニングが提供できる。
【符号の説明】
【００３２】
１００  トイレユニット、１０１  横壁（横壁面）、１０２  後ろ壁（後ろ壁面）、
１０５  床面、１１０  機能ユニット部、１１１  上面（上面板）、
１１２  前面（前面板）、１１３  側面、１１４  機能部フレーム、
１１５  引掛け金具、１１６  レベル調整金具（レベル調整用ねじ）、
１１７  接続金具、１２０  洗面器ユニット部、１２４  洗面器フレーム、
１３０  便器ユニット部、１４０  手洗い器、１５０  洗面器、１６１  便器、
１７１・１７１  操作部、１８０  手すり、１９０  背もたれ、
２００  はね上げ手すり、２１０  紙巻き器、２３０  タッピングねじ
【図１】
0005483267.tif 000002
【図２】
0005483267.tif 000003
【図３】
0005483267.tif 000004
【図４】
0005483267.tif 000005
【図５】
0005483267.tif 000006